(57)【特許請求の範囲】
【請求項１】
無線ネットワークにおいて通信する方法であって、
少なくとも２つの基地局から無線信号を受信することと、
前記少なくとも２つの基地局に対応する前記受信した無線信号が共通物理レイヤ・セル識別子（ＰＣＩＤ）を有するか否かに少なくとも部分的に基づいて、前記受信した無線信号から、ＰＣＩＤ衝突が存在するか否かを判定することと、
前記ＰＣＩＤ衝突が存在するという前記判定に少なくとも部分的に基づいて、前記少なくとも２つの基地局のうち、少なくとも１つの近隣の基地局へ前記ＰＣＩＤ衝突をレポートすることとを備え、
前記判定することは、前記無線信号間のタイミング差を、推定されたチャネル遅れと比較することに少なくとも部分的に基づき、
前記判定することはさらに、前記共通物理レイヤ・セル識別子（ＰＣＩＤ）に対応する複数のシステム情報ブロック（ＳＩＢ）を受信した場合、前記少なくとも２つの基地局が、前記共通物理レイヤ・セル識別子（ＰＣＩＤ）を有していると判定することを備え、
前記判定することはさらにまた、前記共通物理レイヤ・セル識別子（ＰＣＩＤ）に対応するＳＩＢのための複数の物理ダウンリンク制御チャネル（ＰＤＣＣＨ）を受信した場合、前記少なくとも２つの基地局が、前記共通物理レイヤ・セル識別子（ＰＣＩＤ）を有していると判定することを備える、方法。
【請求項２】
前記少なくとも２つの基地局のうち、前記少なくとも１つの近隣の基地局以外の少なくとも１つの別の基地局へ前記ＰＣＩＤ衝突をレポートすること、をさらに備える請求項１に記載の方法。
【請求項３】
前記レポートすることは、前記ＰＣＩＤ衝突に含まれているグローバル・セル識別子をレポートすることを備える、請求項１に記載の方法。
【請求項４】
予約されたアップリンク・リソースで前記ＰＣＩＤ衝突をレポートすること、をさらに備える請求項１に記載の方法。
【請求項５】
無線通信のための装置であって、
少なくとも２つの基地局から無線信号を受信する手段と、
前記少なくとも２つの基地局に対応する前記受信した無線信号が共通物理レイヤ・セル識別子（ＰＣＩＤ）を有するか否かに少なくとも部分的に基づいて、前記受信した無線信号から、ＰＣＩＤ衝突が存在するか否かを判定する手段と、
前記ＰＣＩＤ衝突が存在するという前記判定に少なくとも部分的に基づいて、前記少なくとも２つの基地局のうち、少なくとも１つの近隣の基地局へ前記ＰＣＩＤ衝突をレポートする手段とを備え、
前記判定することはさらに、前記無線信号間のタイミング差を、推定されたチャネル遅れと比較することに少なくとも部分的に基づく装置。
【請求項６】
無線ネットワークにおける無線通信のための、記録されたプログラム・コードを有するコンピュータ読取可能な記録媒体であって、
少なくとも２つの基地局から無線信号を受信するためのプログラム・コードと、
前記少なくとも２つの基地局に対応する前記受信した無線信号が共通物理レイヤ・セル識別子（ＰＣＩＤ）を有するか否かに少なくとも部分的に基づいて、前記受信した無線信号から、ＰＣＩＤ衝突が存在するか否かを判定するためのプログラム・コードと、
前記ＰＣＩＤ衝突が存在するという前記判定に少なくとも部分的に基づいて、前記少なくとも２つの基地局のうち、少なくとも１つの近隣の基地局へ前記ＰＣＩＤ衝突をレポートするためのプログラム・コードとを記録し、
前記判定することは、前記無線信号間のタイミング差を、推定されたチャネル遅れと比較することに少なくとも部分的に基づき、
前記判定することはさらに、前記共通物理レイヤ・セル識別子（ＰＣＩＤ）に対応する複数のシステム情報ブロック（ＳＩＢ）を受信した場合、前記少なくとも２つの基地局が、前記共通物理レイヤ・セル識別子（ＰＣＩＤ）を有していると判定することを備え、
前記判定することはさらにまた、前記共通物理レイヤ・セル識別子（ＰＣＩＤ）に対応するＳＩＢのための複数の物理ダウンリンク制御チャネル（ＰＤＣＣＨ）を受信した場合、前記少なくとも２つの基地局が、前記共通物理レイヤ・セル識別子（ＰＣＩＤ）を有していると判定することを備える、コンピュータ読取可能な記録媒体。
【請求項７】
無線通信のための装置であって、
メモリと、
前記メモリに接続された少なくとも１つのプロセッサとを備え、
前記少なくとも１つのプロセッサは、
少なくとも２つの基地局から無線信号を受信し、
前記少なくとも２つの基地局に対応する前記受信した無線信号が共通物理レイヤ・セル識別子（ＰＣＩＤ）を有するか否かに少なくとも部分的に基づいて、前記受信した無線信号から、ＰＣＩＤ衝突が存在するか否かを判定し、
前記ＰＣＩＤ衝突が存在するという前記判定に少なくとも部分的に基づいて、前記少なくとも２つの基地局のうち、少なくとも１つの近隣の基地局へ前記ＰＣＩＤ衝突をレポートする
ように構成され、
前記判定することは、前記無線信号間のタイミング差を、推定されたチャネル遅れと比較することに少なくとも部分的に基づき、
前記判定することはさらに、前記共通物理レイヤ・セル識別子（ＰＣＩＤ）に対応する複数のシステム情報ブロック（ＳＩＢ）を受信した場合、前記少なくとも２つの基地局が、前記共通物理レイヤ・セル識別子（ＰＣＩＤ）を有していると判定することを備え、
前記判定することはさらにまた、前記共通物理レイヤ・セル識別子（ＰＣＩＤ）に対応するＳＩＢのための複数の物理ダウンリンク制御チャネル（ＰＤＣＣＨ）を受信した場合、前記少なくとも２つの基地局が、前記共通物理レイヤ・セル識別子（ＰＣＩＤ）を有していると判定することを備える、装置。
【請求項８】
前記少なくとも１つのプロセッサはさらに、前記少なくとも２つの基地局のうち、前記少なくとも１つの近隣の基地局以外の少なくとも１つの他の基地局へ、前記ＰＣＩＤ衝突をレポートするように構成された、請求項７に記載の装置。
【請求項９】
前記レポートすることは、前記ＰＣＩＤ衝突に含まれているグローバル・セル識別子をレポートすることを備える、請求項７に記載の装置。
【請求項１０】
前記少なくとも１つのプロセッサはさらに、予約されたアップリンク・リソースで前記ＰＣＩＤ衝突をレポートするように構成された、請求項７に記載の装置。
【発明の詳細な説明】
【関連出願に対する相互参照】
【０００１】
本願は、２０１０年５月７日に出願された「無線ネットワークにおける物理レイヤ・セル識別子衝突の検出およびレポートのための方法およびシステム」（METHODS AND SYSTEMS FOR DETECTING AND REPORTING PHYSICAL-LAYER CELL IDENTIFIER COLLISIONS IN WIRELESS NETWORKS）と題された米国仮特許出願６１／３３２，３７２号の利益を主張する。この開示は、全体が参照によって本明細書に明確に組み込まれている。
【技術分野】
【０００２】
本開示のある態様は、一般に、無線通信システムに関し、さらに詳しくは、物理レイヤ・セル識別子（ＰＣＩＤ）衝突の検出およびレポートに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
提案されるものは、無線ネットワークにおいて通信する方法である。この方法は、少なくとも１つの近隣の基地局から無線信号を受信することを含む。この方法はまた、受信した無線信号から、受信した無線信号が、共通物理レイヤ・セル識別子（ＰＣＩＤ）を有する近隣の基地局に対応しているか否かを判定することを含みうる。
【０００８】
提案されるものは、無線通信のための装置である。この装置は、少なくとも１つの近隣の基地局から無線信号を受信する手段を含む。この装置はさらに、受信した無線信号から、近隣の基地局が、共通物理レイヤ・セル識別子（ＰＣＩＤ）を有しているか否かを判定する手段を含む。
【０００９】
提案されるものは、無線ネットワークにおける無線通信のためのコンピュータ・プログラム製品である。このコンピュータ・プログラム製品は、記録された非一時的なプログラム・コードを有する非一時的なコンピュータ読取可能な媒体を含む。プログラム・コードは、少なくとも１つの近隣の基地局から、無線信号を受信するためのプログラム・コードを含む。このプログラム・コードはまた、受信した無線信号から、近隣の基地局が、共通物理レイヤ・セル識別子（ＰＣＩＤ）を有しているか否かを判定するためのプログラム・コードを含む。
【００１０】
提案されるものは、無線通信のための装置である。この装置は、メモリと、このメモリに接続されたプロセッサ（単数または複数）とを含む。プロセッサ（単数または複数）は、少なくとも１つの近隣の基地局から無線信号を受信するように構成されている。プロセッサ（単数または複数）はまた、受信した無線信号から、近隣の基地局が、共通物理レイヤ・セル識別子（ＰＣＩＤ）を有するか否かを判定するように構成される。
【００１１】
提案されるものは、無線ネットワークにおいて通信する方法である。この方法は、イボルブド・ノードＢ（ｅＮＢ）において、複数のユーザ機器（ＵＥ）から無線信号を受信することを含む。この無線信号は、共通物理レイヤ・セル識別子（ＰＣＩＤ）に対応する、各ＵＥからのパイロット信号を含む。この無線信号はまた、別のＵＥのデータ・メッセージとは異なるＵＥデータ・メッセージを含む。この方法はさらに、ＰＣＩＤ衝突が生じているか否かを、無線信号に基づいて判定することをも含む。
【００１２】
提案されるものは、無線通信のための装置である。この装置は、イボルブド・ノードＢ（ｅＮＢ）において、複数のユーザ機器（ＵＥ）から無線信号を受信する手段を含む。この無線信号は、共通物理レイヤ・セル識別子（ＰＣＩＤ）に対応する、各ＵＥからのパイロット信号を含む。この無線信号はまた、別のＵＥのデータ・メッセージとは異なるＵＥデータ・メッセージを含む。この装置はさらに、ＰＣＩＤ衝突が生じているか否かを、無線信号に基づいて判定する手段を含む。
【００１３】
提案されるものは、無線ネットワークにおける無線通信のためのコンピュータ・プログラム製品である。このコンピュータ・プログラム製品は、記録された非一時的なプログラム・コードを有する非一時的なコンピュータ読取可能な媒体を含む。このプログラム・コードは、イボルブド・ノードＢ（ｅＮＢ）において、複数のユーザ機器（ＵＥ）からの無線信号を受信するためのプログラム・コードを含む。この無線信号は、共通物理レイヤ・セル識別子（ＰＣＩＤ）に対応する、各ＵＥからのパイロット信号を含む。この無線信号はまた、別のＵＥのデータ・メッセージとは異なるＵＥデータ・メッセージを含む。このプログラム・コードはまた、ＰＣＩＤ衝突が生じているか否かを、無線信号に基づいて判定するためのプログラム・コードを含む。
【００１４】
提案されるものは、無線通信のための装置である。この装置は、メモリと、このメモリに接続されたプロセッサ（単数または複数）とを含む。プロセッサ（単数または複数）は、イボルブド・ノードＢ（ｅＮＢ）において、複数のユーザ機器（ＵＥ）から無線信号を受信するように構成される。この無線信号は、共通物理レイヤ・セル識別子（ＰＣＩＤ）に対応する、各ＵＥからのパイロット信号を含む。この無線信号はまた、別のＵＥのデータ・メッセージとは異なるＵＥデータ・メッセージを含む。プロセッサ（単数または複数）はまた、ＰＣＩＤ衝突が生じているか否かを、無線信号に基づいて判定するように構成される。
【００１５】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信における典型的なフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、物理レイヤ・セル識別子衝突が無線ネットワークにおいて生じた場合を、本開示の１つの態様にしたがって判定するためのフロー・チャートである。
【図６Ａ】図６Ａは、無線ネットワークにおける物理レイヤ・セル識別子衝突を、本開示の１つの態様にしたがって検出するための方法を例示するフロー・チャートである。
【図６Ｂ】図６Ｂは、本開示の１つの態様にしたがう、物理ブロードキャスト・チャネルにおける２４ビットのペイロードの例示である。
【図７】図７は、物理レイヤ・セル識別子衝突が無線ネットワークにおいて生じた場合を、１つの態様にしたがって判定するためのフロー・チャートである。
【図８】図８は、物理レイヤ・セル識別子衝突が無線ネットワークにおいて生じた場合を、本態様にしたがって判定するためのフロー・チャートである。
【図９】図９は、物理レイヤ・セル識別子衝突を、本開示の１つの態様にしたがって検出およびレポートするための方法を例示する。
【図１０】図１０は、物理レイヤ・セル識別子衝突を、本開示の１つの態様にしたがって検出およびレポートするための方法を例示する。
【発明を実施するための形態】
【００１７】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１９】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００（登録商標）およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”と称される）について記載されており、このようなＬＴＥ−Ａ用語が以下の説明の多くで使用される。
【００２０】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効範囲を提供する。３ＧＰＰでは、用語「セル」は、この用語が使用される文脈に依存して、この有効通信範囲エリアにサービス提供しているｅノードＢおよび／またはｅノードＢサブシステムからなるこの特定の地理的有効通信範囲エリアを称しうる。
【００２１】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２２】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２３】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２４】
無線ネットワーク１００は、同期動作をサポートしうる。同期動作の場合、ｅノードＢは、類似のフレーム・タイミングを有し、異なるｅノードＢからの送信は、時間的にほぼ揃えられうる。
【００２５】
１つの態様では、無線ネットワーク１００は、周波数分割デュプレクス（ＦＤＤ）動作モードまたは時分割デュプレクス（ＴＤＤ）動作モードをサポートしうる。本明細書に記載された技術は、ＦＤＤ動作モードまたはＴＤＤ動作モードの何れかのために使用されうる。
【００２６】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２７】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、２つの矢印を持つ実線が、ＵＥと、ダウンリンクおよび／またはアップリンクでＵＥにサービス提供するように指定されたｅノードＢであるサービス提供ｅノードＢとの間の所望の送信を示す。２つの矢印を持つ破線は、ＵＥとｅノードＢとの間の干渉送信を示す。
【００２８】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，または２０ＭＨｚの対応するシステム帯域幅についてそれぞれ１，２，４，８，または１６のサブ帯域が存在しうる。
【００２９】
図２は、ＬＴＥにおいて使用されるダウンリンクＦＤＤ構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００３０】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３１】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３２】
ｅノードＢは、ｅノードＢによって使用されるシステム帯域幅の中央１．０８ＭＨｚでＰＳＣ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３３】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３４】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３５】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３６】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクション内に、連続するサブキャリアのすべてが割り当てられるようになる。
【００３７】
ＵＥは、ｅノードＢへ制御情報を送信するために、制御セクションにおいてリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３８】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３９】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００４０】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００４１】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４２】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４３】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図５−９に例示された機能ブロック、および／または、本明細書に記載された技術のためのその他の処理の実行または指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４４】
例えば無線ネットワーク１００のようなヘテロジニアスなネットワークの構成では、ＵＥは、１または複数の干渉元のｅノードＢから高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ｅノードＢ１１０ｃおよびフェムトｅノードＢ１１０ｙは、調整された干渉管理を用いて、リソースをネゴシエートするために、バックホールを介して通信しうる。このネゴシエーションでは、フェムトｅノードＢ１１０ｙは、チャネル・リソースのうちの１つでの送信を停止することに合意する。これによって、ＵＥ１２０ｙは、同じチャネルを介してｅノードＢ１１０ｃと通信する場合ほど、フェムト１１０ｙからの干渉を受けなくなるであろう。
【００４５】
このような支配的な干渉シナリオでは、同期システムにおいてでさえも、ＵＥと複数のｅノードＢとの間の距離が異なることにより、ＵＥで観察された信号電力の不一致に加えて、ダウンリンク信号のタイミング遅れもＵＥによって観察されうる。同期システムにおけるｅノードＢは、システムを超えて、推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、ｔｉｍｅ−ｔｏ−ｌｉｖｅ（ＴＬＬ）誤差のレベルに近づきうる。
【００４６】
さらに、このタイミング差は、ＵＥにおける干渉除去に悪影響を与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００４７】
（物理レイヤ・セル識別子衝突）  
例えば、ロング・ターム・イボリューション（ＬＴＥ）ネットワークのような無線ネットワークは、セルに分割される。各セルは、例えば、イボルブド・ノードＢ（ｅＮＢ）に関連付けられうる。すなわち、各ｅＮＢは、ＬＴＥネットワークにおけるセルを表しうる。各セルは、ユニークなグローバル・セル識別子（ＧＣＩＤ）を割り当てられうる。さらに、各セルは、物理レイヤ・セル識別子（ＰＣＩＤ）を割り当てられうる。物理レイヤ・セル識別子は、ダウンリンク送信とアップリンク送信との両方において、セルを識別するために、物理レイヤ送信において使用されうる。例えば、異なる物理レイヤ・セル識別子は、物理ダウンリンク・チャネルおよび物理アップリンク・チャネルで送信された別の物理レイヤ信号となる。
【００４８】
しかしながら、グローバル・セル識別子よりも少ないビットを使用する物理レイヤ・セル識別子によって、無線ネットワークのセルに利用可能な物理レイヤ・セル識別子値の範囲は、セルに利用可能なグローバル・セル識別子値の範囲よりも小さい。したがって、グローバル・セル識別子から物理レイヤ・セル識別子へのマッピングは１対１ではないかもしれず、複数のグローバル・セル識別子が、共通物理レイヤ・セル識別子を共有しうる。例えば近隣のセルのような近くの２つのセルが、物理レイヤ・セル識別子を共有する場合、物理レイヤ・セル識別子衝突が生じる。領域におけるセルの密度が増加すると、物理レイヤ・セル識別子衝突の可能性も増加する。例えば、ＬＴＥネットワークのクローズド加入者グループでは、いくつかのフェムト・セルは、同じ物理レイヤ・セル識別子を割り当てられうる。
【００４９】
セル識別子衝突の場合、ＵＥおよび基地局は、自分の信号を、近隣のセルの信号と区別することが困難になる。したがって、物理レイヤ・セル識別子衝突を検出し、物理レイヤ・セル識別子衝突を、無線ネットワークへレポートするニーズがある。
【００５０】
１つの態様によれば、ユーザ機器（ＵＥ）は、一次同期信号（ＰＳＳ）および／または二次同期信号（ＳＳＳ）のための到着経路をモニタしうる。一次同期信号と二次同期信号との両方は、物理レイヤ・セル識別子の関数である。
【００５１】
一次同期信号の値は、物理レイヤ・セル識別子（ＭＯＤ  ３）である。モジュロ（ｍｏｄ）は、数値が、（モジュラスと呼ばれる）ある値に達した後に、「最低値に戻る」（"wrap around"）数学的な関数であり、この関数の結果は、モジュラスによって除されたオペランドの余りである。モジュロ関数は、Ｖ＝Ｏ（ＭＯＤ  ｘ）として表され、ここで、Ｖは値であり、Ｏはオペランドであり、ｘはモジュラスである。例えば、５（ＭＯＤ  ２）＝１であり、１２（ＭＯＤ  ６）＝０である。一次同期信号は、物理レイヤ・セル識別子（ＭＯＤ  ３）であるので、一次同期信号の値は、常に０，１，または２である。したがって、ＰＳＳ＝ＰＣＩＤ（ＭＯＤ  ３）である。
【００５２】
二次同期信号の値は、ＦＬＯＯＲ（ＰＣＩＤ／３）である。ＦＬＯＯＲは、数字よりも大きくない最大の整数を示す数学的な関数である。したがって、ＦＬＯＯＲ（ｘ）は、  
【数１】
0005902282.tif 000002
【００５３】
として表現される。これは、ｘよりも大きくない最大の整数を意味する。例えば、ＦＬＯＯＲ（３．５）＝３であり、ＦＬＯＯＲ（２．３２４）＝２である。したがって、  
【数２】
0005902282.tif 000003
【００５４】
である。
【００５５】
ＵＥが、時間的に大きく離れた同じ物理レイヤ・セル識別子を有する複数のＰＳＳおよび／またはＳＳＳを受信した場合、ＵＥは、物理レイヤ・セル識別子衝突が生じたことを示しうる。すなわち、一次同期信号および／または二次同期信号をモニタすることによって、物理レイヤ・セル識別子衝突が検出されうる。単一のセルから送信されたＰＳＳおよびＳＳＳは、チャネルが複数の経路を有していることによって、ＵＥにおいて複数回数検出されうる。しかしながら、ＵＥは、期待されたチャネル遅れプロファイルよりも大きく離れた、同じセルＩＤに対応する同期信号を検出した場合、これら信号が、２つの異なる基地局から送信されたと判定しうる。１つの態様では、時間遅れは、チャネル遅れ伝搬の合理的な推定値に相当する。これは、信号のすべての経路がＵＥに到達する時間である。
【００５６】
図５は、本開示の１つの態様にしたがって、無線ネットワークにおいて物理レイヤ・セル識別子衝突が生じた場合を判定するためのフロー・チャートを示す。ＵＥが、同じセルＩＤを持つ信号を受信したとき、ＵＥは、これら信号が、異なる基地局から到来していることを必ずしも認識していない。ブロック５０２において、ＵＥは、第１のセルＩＤと第１のタイミング仮説とに対応する第１の一次同期信号および／または二次同期信号を受信する。ブロック５０４において、ＵＥは、同じ第１のセルＩＤと第２のタイミング仮説とに対応する第２の一次同期信号および／または二次同期信号を受信する。ブロック５０６において、第１の一次同期信号／二次同期信号と、第２の一次同期信号／二次同期信号との間のタイミング・オフセットが、推定されたチャネル遅れよりも大きいか否かを判定する。このタイミング・オフセットが、推定されたチャネル遅れよりも大きい場合、ＵＥはブロック５０８に進み、物理レイヤ・セル識別子衝突が生じていると判定する。１つの態様によれば、ＵＥは、以下に説明するように、さらなる衝突判定のために、物理レイヤ・セル識別子にフラグしうる。このタイミング・オフセットが、推定されたチャネル遅れ未満である場合、処理は、ブロック５０２に戻る。
【００５７】
ＵＥによって物理レイヤ・セル識別子衝突が判定された後、ＵＥはブロック５１０に進み、ＵＥが物理レイヤ・セル識別子衝突をレポートするであろうか否かを判定する。ＵＥが、物理レイヤ・セル識別子衝突をレポートすることになっている場合、処理はブロック５１２に進み、物理レイヤ・セル識別子衝突をレポートする。そうではない場合、ＵＥは、ブロック５１４において、ベスト・エフォート復号を実行する。
【００５８】
１つの態様によれば、ＵＥは、物理レイヤ・セル識別子衝突を、フォールバックｅＮＢへレポートする。例えば、ＵＥは、物理レイヤ・セル識別子衝突が、２つのフェムトｅＮＢ間にあると判定した場合、物理レイヤ・セル識別子衝突を、マクロｅＮＢへレポートしうる。１つの態様によれば、フォールバックｅＮＢの位置決めを助けるために、ＵＥは、同一の物理レイヤ・セル識別子を有するｅＮＢからの一次同期信号／二次同期信号によって引き起こされた干渉を低減する干渉除去を実行しうる。別の態様では、マクロｅＮＢが利用可能ではない場合、ＵＥは、サービス提供フェムト・セルまたは干渉元のフェムト・セルへコンタクトすることを試みる。サービス提供フェムトｅＢまたは干渉元のフェムトｅＮＢへコンタクトするために、ベスト・エフォートが使用されうる。
【００５９】
別の態様によれば、ＵＥは、物理レイヤ・セル識別衝突に含まれるｅＮＢのうちの１または複数が、物理レイヤ・セル識別子衝突を識別するために使用する信号を送信しうる。例えば、ＵＥが、物理レイヤ・セル識別子衝突に含まれる物理レイヤ・セル識別子に対応する、予約されたリソースで信号を送信できるように、各物理レイヤ・セル識別子のために、予約された個別のリソースが利用可能でありうる。ｅＮＢは、物理レイヤ・セル識別子衝突が生じたか否かを判定するために、割り当てられた物理レイヤ・セル識別子に対応する、予約されたリソースをモニタしうる。
【００６０】
さらに別の態様によれば、物理レイヤ・セル識別子衝突に含まれる物理レイヤ・セル識別子に対応する信号をＵＥが送信する、予約された共通のリソースが利用可能でありうる。すべてのｅＮＢは、予約されたリソースをモニタし、その物理レイヤ・セル識別子を、予約された共通のリソースで送信された物理レイヤ・セル識別子と比較することによって、予約されたリソースが、物理レイヤ・セル識別子衝突に含まれているかを判定しうる。
【００６１】
１つの態様によれば、ＵＥは、異なるタイミング仮説（または、あるしきい値よりも大きなタイミング仮説差分）に関連付けられた同じセルＩＤに対応する物理ブロードキャスト・チャネル（ＰＢＣＨ）を復号した場合、セルＩＤ衝突が生じたと判定する。あるいは、ＵＥは、異なるペイロードを有する同じセルＩＤに対応するＰＢＣＨを復号した場合、セルＩＤ衝突が生じていると判定する。別の基地局が別のペイロードを送信することを保証するために、ペイロードが、送信設定またはセル・パラメータによって決定されると、ＰＢＣＨにおける予約ビットが使用される場合がありうる。
【００６２】
図６Ａは、１つの態様にしたがって、予約ビットを用いて、無線ネットワークにおける物理レイヤ・セル識別子衝突を検出するための方法を例示するフロー・チャートである。ブロック６０２では、ｅＮＢが、ｅＮＢのグローバル・セル識別子から、ビットのパターンを生成する。ブロック６０４では、ｅＮＢが、生成されたビットのパターンを、ＰＢＣＨで送信する。この送信は、定期的に行われ、例えば、いくつかのＰＢＣＨがこのパターンを含む一方、他のＰＢＣＨは、このパターンを含まない。
【００６３】
１つの態様によれば、ｅＮＢは、ＰＢＣＨのペイロードで、未使用（予約）ビットのサブセットのためのビットを生成しうる。ｅＮＢは、ｅＮＢのグローバル・セル識別子を用いてシードされた乱数生成器からビットを生成することによって、選択された未使用ビットを生成しうる。あるいは、ｅＮＢは、グローバル・セル識別子を、選択された未使用ビットにダイレクトにマッピングすることによって、選択された未使用ビットを生成しうる。
【００６４】
図６Ｂは、物理ブロードキャスト・チャネル上の２４ビットのペイロードの例示である。物理ブロードキャスト・チャネル・ペイロードは、マスタ情報ブロック（ＭＩＢ）に対応する第１の部分６５２を含んでいる。前述したように、物理ブロードキャスト・チャネル・ペイロードはさらに、送信元のｅＮＢのグローバル・セル識別子に対応する第２の部分６５４をも含む。例えば、２つのｅＮＢが、同一の帯域幅、送信アンテナ数、および物理レイヤ・セル識別子を有しているのであれば、これら２つのｅＮＢは、マスタ情報ブロックを表す第１の部分６５２において、同一のビットを有する物理ブロードキャスト・チャネル・ペイロードを送信するであろう。第２の部分６５４は、グローバル・セル識別子を表し、これによって、ＵＥは、（ユニークなグローバル・セル識別子変調ビットを除いて、）同一の設定を持つ２つのｅＮＢからのペイロードを区別できるようになる。このような予約ビット構成は、さまざまな条件に依存して、常にまたはある時間において、ｅＮＢによって実施されうる。
【００６５】
グローバル・セル識別子に対応するブロードキャスト・ビットによって、ＵＥは、ｅＮＢが同一の物理レイヤ・セル識別子を有する場合に、物理ブロードキャスト・チャネルにおけるペイロードを区別できるようになる。無線ネットワークに接続されたレガシーＵＥは、グローバル・セル識別子に対応する、送信されたビットによって影響を受けない。なぜなら、これらのビットは、以前に予約されているからである。別の態様によれば、グローバル・セル識別子に対応するブロードキャスト・ビットは、グローバル・セル識別子検出および／または検証のためである。例えば、ＵＥにおいて復号された、物理ブロードキャスト・チャネル・ペイロードからのブロードキャスト・ビットは、セル探索中、検出元のｅＮＢから判定されたグローバル・セル識別子を検証するために、ＵＥによって使用されうる。
【００６６】
同期ネットワークでは、物理レイヤ・セル識別子衝突が生じた場合、同一の物理レイヤ・セル識別子を有するｅＮＢからの一次同期信号／二次同期信号は、同一の信号でありうる。すなわち、同一の物理レイヤ・セル識別子を有する２つのｅＮＢが、同一の帯域幅およびアンテナ数をも有しているのであれば、これら２つのｅＮＢからのブロードキャスト信号は同一である。しかしながら、同期不正確および／または伝搬遅れによって、セルからの信号は、ＵＥによって受信された場合に、時間的に離れるようになりうる。同期ネットワークでは、同じ物理レイヤ・セル識別子を有する２つのセルが衝突した場合、一次同期信号／二次同期信号検出に基づいて衝突を検出することは可能ではないことがありうる。なぜなら、別のｅＮＢからのこのような信号は、物理レイヤ・セル識別子がオーバラップするため、ＵＥによって、同一の信号として見られるからである。この場合、物理ブロードキャスト・チャネルによってでさえ、異なるセルを検出することは可能ではないことがありうる。この場合、１つの態様によれば、（例えば、図６Ｂに例示されているもののような）物理ブロードキャスト・チャネルの予約ビットは、信号を、同一の物理レイヤ・セル識別子を有する２つのｅＮＢのおのおのと区別するために、ｅＮＢによって使用される。
【００６７】
図７は、１つの態様にしたがって、無線ネットワークにおいて物理レイヤ・セル識別子衝突が生じた場合を判定するためのフロー・チャートである。ブロック７０２では、ＵＥが、第１のｅＮＢの物理ブロードキャストから、第１のグローバル・セル識別子変調ペイロードを受信する。ブロック７０４では、ＵＥが、第２のｅＮＢの物理ブロードキャストから、第２のグローバル・セル識別子変調ペイロードを受信する。ブロック７０６では、第１のグローバル・セル識別子変調ペイロードが、第２のグローバル・セル識別子変調ペイロードと同じであるか否かをＵＥが判定する。第１のグローバル・セル識別子変調ペイロードと、第２のグローバル・セル識別子変調ペイロードとが異なる場合、ＵＥは、ブロック７０８に進み、物理レイヤ・セル識別子衝突が生じたと判定する。そうではない場合、処理はブロック７０２に戻る。
【００６８】
ＵＥは、物理レイヤ・セル識別子衝突が生じたと判定した後、ブロック７１０に進み、物理レイヤ・セル識別子衝突をレポートするか否かを判定する。ＵＥが、物理レイヤ・セル識別子衝突をレポートすべきである場合、ＵＥは、前述したように、ブロック７１６に進み、この衝突をレポートする。ＵＥが、物理レイヤ・セル識別子衝突をレポートしないと決定した場合、ＵＥは、ブロック７１４において、ベスト・エフォート復号を実行しうる。例えば、マクロ・セルへ、潜在的に干渉するフェムト・セルをレポートすることのように、ＵＥが衝突をレポートすると、マクロ・セルは、ネットワーク・バックホールを介してフェムト・セルと通信し、フェムト・セルに対して、物理レイヤ・セル識別子を変更するように要求する。
【００６９】
１つの態様によれば、同期ネットワークにおいて、ＵＥにおける干渉除去が利用可能であれば、ＵＥは、異なるペイロードを持つ物理ブロードキャスト・チャネルが存在するか否かの検出を容易にするために、干渉除去を用いて、各セルにおける物理ブロードキャスト・チャネル復号をトリガしうる。特定のセルＩＤが、セルＩＤ衝突に含まれているか否かを検出するために、ＵＥは先ず、セルＩＤに対応するＣＲＳおよび／またはＰＢＣＨを除去し、次に、同じセルＩＤについて、ＰＢＣＨ復号を再度トリガしうる。ＣＲＳを除去する場合、同じセルＩＤを持つ第２のセルのＣＲＳが存在するのであれば、それがキャンセル・アウトされていないことを保証するために、ＰＢＣＨデータからのチャネル推定値が使用されうる。ペイロードが同一であれば、すなわち、グローバル・セル識別子が、予約ビットのサブセットを設定するために使用されている場合に、物理レイヤ・セル識別子が、セルと、グローバル・セル識別子変調ビットとの両方で同一であれば、干渉除去は、第２の物理ブロードキャスト・チャネルを除去するだろう。すなわち、干渉除去後、第２の物理ブロードキャスト・チャネル・ペイロードには、雑音以外に、復号するものが無くなるだろう。これは、衝突が生じていないことを示す。ペイロードが異なる場合、第２の復号がこれを示すであろう。そして、物理レイヤ・セル識別子衝突が宣言されうる。
【００７０】
ＵＥは、前述したように、ある間隔で、または、例えば、ＵＥが強い共通基準信号（ＣＲＳ）を検出するも、チャネルおよびシステム情報ブロック（ＳＩＢ）を復号することに困難を有するようなある状況において、干渉除去を実行しうる。ＵＥが、（同じ物理レイヤ・セル識別子を用いて複数の基地局を示す）物理ダウンリンク制御チャネルにおいて複数のシステム情報ブロックを検出した場合、ＵＥは、本開示に記載されたベスト・エフォートおよび技術を用いて、これらを復号することを試みうる。
【００７１】
別の態様によれば、ＵＥが、（例えば、グローバル・セル識別子変調ペイロードを有する物理ブロードキャスト・チャネル（ＰＢＣＨ）のような）制御メッセージまたはデータを復号する場合、ＵＥは、このメッセージを完全に復号するのではなく、物理レイヤ・セル識別子衝突が無線ネットワークで生じたか否かを判定するために、チャネル推定を実行しうる。図８は、物理レイヤ・セル識別子衝突が無線ネットワークにおいて生じた場合を、この態様にしたがって判定するためのフロー・チャートである。ブロック８０２では、ＵＥが、例えば、ＧＣＩＤ変調ペイロードを有するＰＢＣＨのようなデータ／制御メッセージを受信する。ブロック８２０では、ＵＥが、例えば共通基準信号（ＣＲＳ）またはＵＥ−ＲＳのようなパイロットを用いて、パイロット・ベースのチャネル推定を実行する。共通基準信号／ＵＥ−ＲＳの拡散シーケンスは、ｅＮＢの物理レイヤ・セル識別子から導出される。
【００７２】
ブロック８２２では、ＵＥが、例えば、ＧＣＩＤ変調ペイロードを有するＰＢＣＨのような復号されたデータ／制御メッセージのデータ変調部分を用いて、データ・ベースのチャネル推定を実行する。２つのｅＮＢが異なるデータを送信した場合、データからのチャネル推定値は、単に、このデータを送信したｅＮＢのチャネル推定値となるだろう。一方、セルＩＤ衝突が無かった場合、データで見られるパイロットおよびチャネルに基づくチャネル推定値は類似する。これは、セルＩＤ衝突が生じたか否かを判定するために使用されうる。例は、２つのチャネル推定値の比の平均が、期待された値と著しく異なる場合であり、例えば、この平均比のフェーズが、ゼロとは著しく異なる場合である。したがって、２つのチャネル推定値がミスマッチしている場合、ＵＥは、セルＩＤ衝突が生じたと判定する。
【００７３】
記載された技術はまた、ｅＮＢによって受信されたアップリンク通信中にも適合しうる。このようなアップリンク衝突は、１または複数のＵＥがｅＮＢへ適切に送信しているが、１または複数のその他のＵＥが、ｅＮＢと同じセルＩＤを共有している近隣の基地局に接続されている場合に生じうる。１つの態様では、ｅＮＢは、ＵＥによって送信されたパイロットから推定されたチャネルが、ＵＥによって送信されたデータから推定されたチャネルと著しく異なる場合に、セルＩＤ衝突が生じたと判定しうる。
【００７４】
別の態様では、ｅＮＢは、特定のｅＮＢによってスケジュールされていないＵＥから、ｅＮＢのセルＩＤに対応するパラメータを用いるアップリンク送信を受信した場合に、セルＩＤ衝突を検出しうる。
【００７５】
ブロック８０６では、パイロット・ベースのチャネル推定値と、データ変調部分に基づくチャネル推定値との間の差分が、予め定められたしきい値よりも大きいか否かを判定する。この差分が、予め定められたしきい値よりも大きい場合、ＵＥは、ブロック８０８に進み、物理レイヤ・セル識別子衝突が生じていると判定する。そうではない場合、処理はブロック８０２に戻る。
【００７６】
物理レイヤ・セル識別子衝突が生じたとＵＥが判定した後、ロジックは、ブロック８１０に進み、物理レイヤ・セル識別子衝突をレポートすべきか否かを判定する。ＵＥが、物理レイヤ・セル識別子衝突をレポートすべきである場合、ロジックはブロック８１２に進み、前述したように、この衝突をレポートする。ＵＥが、物理レイヤ・セル識別子衝突をレポートしないと決定した場合、ＵＥは、ブロック８１４において、ベスト・エフォート復号を実行しうる。
【００７７】
物理ブロードキャスト・チャネル・ペイロードの完全な復号を行う代わりにチャネル推定を実行することにより、ＵＥにおけるオーバヘッドが減少し、ＵＥの効率が高まる。
【００７８】
１つの態様によれば、物理レイヤ・セル識別子衝突を識別するためにｅＮＢが使用しうる信号をＵＥが送信するために、あるアップリンク・リソースが予約される。例えば、予約されたリソースは、異なるセル物理レイヤ・セル識別子を有するセルについて異なりうる。ＵＥは、この予約されたリソースで、既知の信号を送信しうる。ｅＮＢは、物理レイヤ・セル識別子に対応する予約空間において既知の信号を検出した場合、物理レイヤ・セル識別子が衝突に含まれているか否かを判定しうる。あるいは、すべての物理レイヤ・セル識別子のために共通のリソースが予約されうる。ＵＥは、ＵＥが検出した物理レイヤ・セル識別子が衝突に含まていることに依存して、この予約されたリソースで、信号を送信しうる。ｅＮＢは、この予約されたリソースをモニタしうる。ｅＮＢが、自己の物理レイヤ・セル識別子に対応する信号を検出した場合、ｅノードＢは、物理レイヤ・セル識別子衝突に含まれていると推論しうる。
【００７９】
図９は、物理レイヤ・セル識別子衝突を、本開示の１つの態様にしたがって検出およびレポートするための方法を例示する。ブロック９０２では、ＵＥが、近隣の基地局から、無線信号を受信する。ブロック９０４では、受信した無線信号から、近隣の基地局が、共通物理レイヤ・セル識別子（ＰＣＩＤ）を有しているか否かをＵＥが判定する。
【００８０】
図１０は、物理レイヤ・セル識別子衝突を、本開示の１つの態様にしたがって検出およびレポートするための方法を例示する。ブロック１００２では、ｅＮＢが、複数のＵＥから無線信号を受信する。この無線信号は、共通ＰＣＩＤに対応する、各ＵＥからのパイロット信号を含む。この無線信号はまた、別のＵＥのデータ・メッセージとは異なるＵＥデータ・メッセージを含む。ブロック１００４では、ｅＮＢが、この無線信号に基づいて、ＰＣＩＤ衝突が生じているか否かを判定する。
【００８１】
ＵＥは、複数の近隣の基地局から、無線信号を受信する手段と、受信した無線信号から、近隣の基地局が、共通物理セル・レイヤ識別子（ＰＣＩＤ）を有しているか否かを判定する手段とを有しうる。１つの態様では、前述した手段は、前述された手段によって記載された機能を実行するための、プロセッサ（単数または複数）、コントローラ／プロセッサ４８０、メモリ４８２、受信プロセッサ４５８、復調器４５４ａ、およびアンテナ４５２ａでありうる。別の態様では、前述した手段は、前述した手段によって記述された機能を実行するように構成されたモジュールまたは任意の装置でありうる。
【００８２】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８３】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８４】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８５】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００８６】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［１］無線ネットワークにおいて通信する方法であって、
少なくとも１つの近隣の基地局から無線信号を受信することと、
前記受信した無線信号から、前記受信した無線信号が、共通物理レイヤ・セル識別子（ＰＣＩＤ）を有する近隣の基地局に対応しているか否かを判定することと、
を備える方法。
［２］前記近隣の基地局のうちの少なくとも１つへＰＣＩＤ衝突をレポートすること、をさらに備える［１］に記載の方法。
［３］少なくとも１つの別の基地局へＰＣＩＤ衝突をレポートすること、をさらに備える［１］に記載の方法。
［４］前記レポートすることは、前記ＰＣＩＤ衝突に含まれているグローバル・セル識別子をレポートすることを備える、［３］に記載の方法。
［５］予約されたアップリンク・リソースでＰＣＩＤ衝突をレポートすること、をさらに備える［１］に記載の方法。
［６］前記判定することは、
異なるタイミングを持つ、前記共通物理レイヤ・セル識別子に対応する同期信号を検出することと、
前記検出されたタイミング間のタイミング差を、しきい値と比較することと
を備える、［１］に記載の方法。
［７］前記判定することは、前記共通物理レイヤ・セル識別子に対応する複数のシステム情報ブロック（ＳＩＢ）を受信した場合、前記近隣の基地局が、前記共通物理レイヤ・セル識別子を有していると判定することを備える、［１］に記載の方法。
［８］前記判定することはさらに、前記共通物理レイヤ・セル識別子に対応するＳＩＢのための複数の物理ダウンリンク制御チャネル（ＰＤＣＣＨ）を受信した場合、前記近隣の基地局が、前記共通物理レイヤ・セル識別子を有していると判定することを備える、［７］に記載の方法。
［９］前記判定することは、前記共通物理レイヤ・セル識別子に対応する複数の物理ブロードキャスト・チャネル（ＰＢＣＨ）を受信することを備え、
前記ＰＢＣＨは異なるペイロードを有する、［１］に記載の方法。
［１０］複数の前記異なるペイロードは、グローバル・セル識別子（ＧＣＩＤ）に基づく第１のペイロードおよび第２のペイロードを備える、［９］に記載の方法。
［１１］前記判定することはさらに、
第１のセル識別子に対応する第１のペイロードを復号することと、
前記第１のペイロードに対応する信号を、受信した信号から除去することにより、干渉除去を実行することと、
前記第１のセル識別子のための第２の復号をトリガすることと、
前記第１のペイロードを、前記受信した信号から除去した後、前記第１のペイロードと異なる第２のペイロードの復号が成功した場合、セル識別子衝突を宣言することと
を備える、［９］に記載の方法。
［１２］前記干渉除去は、パイロットおよびデータの除去を備える、［１１］に記載の方法。
［１３］前記パイロットの除去は、データ信号のチャネル推定値を活用する、［１２］に記載の方法。
［１４］前記判定することはさらに、
パイロット信号を用いて、データ送信に対応する第１のチャネル推定を実行することと、
データ変調部分を用いて、前記データ送信のための第２のチャネル推定を実行することと、
前記第１のチャネル推定と前記第２のチャネル推定とに基づいて、近隣の基地局が、共通物理レイヤ・セル識別子を有していると判定することと
を備える、［１］に記載の方法。
［１５］前記パイロット信号は、共通基準信号（ＣＲＳ）とユーザ機器基準信号（ＵＥ−ＲＳ）とのうちの１つを備える、［１４］に記載の方法。
［１６］無線通信のための装置であって、
少なくとも１つの近隣の基地局から無線信号を受信する手段と、
前記受信した無線信号から、前記受信した無線信号が、共通物理レイヤ・セル識別子（ＰＣＩＤ）を有する近隣の基地局に対応しているか否かを判定する手段と、
を備える装置。
［１７］無線ネットワークにおける無線通信のためのコンピュータ・プログラム製品であって、
記録された非一時的なプログラム・コードを有する非一時的なコンピュータ読取可能な媒体を備え、
前記プログラム・コードは、
少なくとも１つの近隣の基地局から、無線信号を受信するためのプログラム・コードと、
前記受信した無線信号から、前記受信した無線信号が、共通物理レイヤ・セル識別子（ＰＣＩＤ）を有する近隣の基地局に対応しているか否かを判定するためのプログラム・コードと
を備える、コンピュータ・プログラム製品。
［１８］無線通信のための装置であって、
メモリと、
前記メモリに接続された少なくとも１つのプロセッサとを備え、
前記少なくとも１つのプロセッサは、
少なくとも１つの近隣の基地局から無線信号を受信し、
前記受信した無線信号から、前記受信した無線信号が、共通物理レイヤ・セル識別子（ＰＣＩＤ）を有する近隣の基地局に対応しているか否かを判定する
ように構成された、装置。
［１９］前記少なくとも１つのプロセッサはさらに、前記近隣の基地局のうちの少なくとも１つへ、ＰＣＩＤ衝突をレポートするように構成された、［１８］に記載の装置。
［２０］前記少なくとも１つのプロセッサはさらに、少なくとも１つの他の基地局へ、ＰＣＩＤ衝突をレポートするように構成された、［１８］に記載の装置。
［２１］前記レポートすることは、前記ＰＣＩＤ衝突に含まれているグローバル・セル識別子をレポートすることを備える、［２０］に記載の装置。
［２２］前記少なくとも１つのプロセッサはさらに、予約されたアップリンク・リソースでＰＣＩＤ衝突をレポートするように構成された、［１８］に記載の装置。
［２３］前記判定するように構成された少なくとも１つのプロセッサは、
異なるタイミングを持つ、前記共通物理レイヤ・セル識別子に対応する同期信号を検出し、
前記検出されたタイミング間のタイミング差を、しきい値と比較する
ように構成された前記少なくとも１つのプロセッサを備える、
［１８］に記載の装置。
［２４］前記判定するように構成された少なくとも１つのプロセッサは、
前記共通物理レイヤ・セル識別子に対応する複数のシステム情報ブロック（ＳＩＢ）を受信した場合、前記近隣の基地局が、前記共通物理レイヤ・セル識別子を有していると判定するように構成された前記少なくとも１つのプロセッサを備える、
［１８］に記載の装置。
［２５］前記判定するように構成された少なくとも１つのプロセッサは、
前記共通物理レイヤ・セル識別子に対応するＳＩＢのための複数の物理ダウンリンク制御チャネル（ＰＤＣＣＨ）を受信した場合、前記近隣の基地局が、前記共通物理レイヤ・セル識別子を有していると判定するように構成された前記少なくとも１つのプロセッサを備える、
［２４］に記載の装置。
［２６］前記判定するように構成された少なくとも１つのプロセッサは、
前記共通物理レイヤ・セル識別子に対応する複数の物理ブロードキャスト・チャネル（ＰＢＣＨ）を受信するように構成された前記少なくとも１つのプロセッサを備え、
前記ＰＢＣＨは異なるペイロードを有する、［１８］に記載の装置。
［２７］複数の前記異なるペイロードは、グローバル・セル識別子（ＧＣＩＤ）に基づく第１のペイロードおよび第２のペイロードを備える、［２６］に記載の装置。
［２８］前記判定するように構成された少なくとも１つのプロセッサは、
第１のセル識別子に対応する第１のペイロードを復号し、
前記第１のペイロードに対応する信号を、受信した信号から除去することにより、干渉除去を実行し、
前記第１のセル識別子のための第２の復号をトリガし、
前記第１のペイロードを、前記受信した信号から除去した後、前記第１のペイロードと異なる第２のペイロードの復号が成功した場合、セル識別子衝突を宣言する、
ように構成された前記少なくとも１つのプロセッサを備える、
［１８］に記載の装置。
［２９］前記干渉除去は、パイロットおよびデータの除去を備える、［２８］に記載の装置。
［３０］前記パイロットの除去は、データ信号のチャネル推定値を活用する、［２８］に記載の装置。
［３１］前記判定するように構成された少なくとも１つのプロセッサは、
共通基準信号（ＣＲＳ）を用いて、データ送信に対応する第１のチャネル推定を実行し、
データ変調部分を用いて、前記データ送信のための第２のチャネル推定を実行し、
前記第１のチャネル推定と前記第２のチャネル推定とに基づいて、近隣の基地局が、共通物理レイヤ・セル識別子を有していると判定する
ように構成された前記少なくとも１つのプロセッサを備える、
［２８］に記載の装置。
［３２］前記パイロット信号は、共通基準信号（ＣＲＳ）とユーザ機器基準信号（ＵＥ−ＲＳ）とのうちの１つを備える、［３１］に記載の装置。
［３３］無線ネットワークにおいて通信する方法であって、
イボルブド・ノードＢ（ｅＮＢ）において、複数のユーザ機器（ＵＥ）から無線信号を受信することと、ここで、前記無線信号は、共通物理レイヤ・セル識別子（ＰＣＩＤ）に対応する、各ＵＥからのパイロット信号と、前記ＵＥのうちの別のＵＥのデータ・メッセージとは異なるＵＥデータ・メッセージとを含む、
ＰＣＩＤ衝突が生じているか否かを、前記無線信号に基づいて判定することと、
を備える方法。
［３４］前記判定することは、
前記複数のＵＥのうちの１つからのパイロット信号を用いて、データ送信に対応する第１のチャネル推定を実行することと、
データ変調部分を用いて、前記データ送信のための第２のチャネル推定を実行することと、
前記第１のチャネル推定および前記第２のチャネル推定に基づいて、前記ＰＣＩＤ衝突を宣言することと
を備える、［３３］に記載の方法。
［３５］前記判定することは、
前記ｅＮＢによってスケジュールされていない、未スケジュールのＵＥを検出することと、
前記未スケジュールのＵＥの送信パラメータが、前記ｅＮＢのＰＣＩＤに対応する場合、前記ＰＣＩＤを宣言することと
を備える、［３３］に記載の方法。
［３６］無線通信のための装置であって、
イボルブド・ノードＢ（ｅＮＢ）において、複数のユーザ機器（ＵＥ）から無線信号を受信する手段と、ここで、前記無線信号は、共通物理レイヤ・セル識別子（ＰＣＩＤ）に対応する、各ＵＥからのパイロット信号と、前記ＵＥのうちの別のＵＥのデータ・メッセージとは異なるＵＥデータ・メッセージとを含む、
ＰＣＩＤ衝突が生じているか否かを、前記無線信号に基づいて判定する手段と、
を備える装置。
［３７］無線ネットワークにおける無線通信のためのコンピュータ・プログラム製品であって、
記録された非一時的なプログラム・コードを有する非一時的なコンピュータ読取可能な媒体を備え、
前記プログラム・コードは、
イボルブド・ノードＢ（ｅＮＢ）において、複数のユーザ機器（ＵＥ）から無線信号を受信するためのプログラム・コードと、ここで、前記無線信号は、共通物理レイヤ・セル識別子（ＰＣＩＤ）に対応する、各ＵＥからのパイロット信号と、前記ＵＥのうちの別のＵＥのデータ・メッセージとは異なるＵＥデータ・メッセージとを含む、
ＰＣＩＤ衝突が生じているか否かを、前記無線信号に基づいて判定するためのプログラム・コードと
を備える、コンピュータ・プログラム製品。
［３８］無線通信のための装置であって、
メモリと、
前記メモリに接続された少なくとも１つのプロセッサとを備え、
前記少なくとも１つのプロセッサは、
イボルブド・ノードＢ（ｅＮＢ）において、複数のユーザ機器（ＵＥ）から無線信号を受信し、ここで、前記無線信号は、共通物理レイヤ・セル識別子（ＰＣＩＤ）に対応する、各ＵＥからのパイロット信号と、前記ＵＥのうちの別のＵＥのデータ・メッセージとは異なるＵＥデータ・メッセージとを含む、
ＰＣＩＤ衝突が生じているか否かを、無線信号に基づいて判定する
ように構成された、装置。
［３９］前記判定するように構成された少なくとも１つのプロセッサは、
前記複数のＵＥのうちの１つからのパイロット信号を用いて、データ送信に対応する第１のチャネル推定を実行し、
データ変調部分を用いて、前記データ送信のための第２のチャネル推定を実行し、
前記第１のチャネル推定および前記第２のチャネル推定に基づいて、前記ＰＣＩＤ衝突を宣言するように構成された前記少なくとも１つのプロセッサを備える、
［３８］に記載の装置。
［４０］前記判定するように構成された少なくとも１つのプロセッサは、
前記ｅＮＢによってスケジュールされていない、未スケジュールのＵＥを検出し、
前記未スケジュールのＵＥの送信パラメータが、前記ｅＮＢのＰＣＩＤに対応する場合、前記ＰＣＩＤを宣言するように構成された前記少なくとも１つのプロセッサを備える、
［３８］に記載の装置。
【図１】
0005902282.tif 000004
【図２】
0005902282.tif 000005
【図３】
0005902282.tif 000006
【図４】
0005902282.tif 000007
【図５】
0005902282.tif 000008
【図６Ａ】
0005902282.tif 000009
【図６Ｂ】
0005902282.tif 000010
【図７】
0005902282.tif 000011
【図８】
0005902282.tif 000012
【図９】
0005902282.tif 000013
【図１０】
0005902282.tif 000014